(57)【要約】【課題】第１サムネイル列と第２サムネイル列とのいずれか一方のサムネイ列の表示状態は維持したまま、他方のサムネイル列に表示されているサムネイルを切替えて表示することができる画像表示装置を提供すること。【解決手段】サムネイル表示画面には、変更前サムネイル列と、変更後サムネイル列との２列のサムネイル列と、変更前サムネイル列に対応する第１スクロールバー５０と、変更後サムネイル列に対応する第２スクロールバー５２とを表示する。そして、第１スクロールバー５０上の所定位置がタッチされると、そのタッチされた所定位置に対応つけて記憶しているサムネイルを特定する。そして、変更後サムネイル列の表示状態は維持したまま、変更前サムネイル列に、その特定したサムネイルを表示するように、変更前サムネイル列の表示を切替える。【選択図】図５
2008299090.tif 000002
【特許請求の範囲】
【請求項１】
複数の画像について、第１サムネイル列での表示順との対応情報を管理し、かつ、第２サムネイル列での表示順との対応情報を管理する管理手段と、
その管理手段で管理される対応情報に従い、前記各画像のサムネイルを第１サムネイル列として並べて表示手段に表示し、かつ、前記第１サムネイル列とは別の第２サムネイル列として並べて表示手段に表示する第１表示制御手段と、
第１切替指示と、第２切替指示とを受け付ける受付手段とを備え、
前記第１表示制御手段は、前記受付手段によって前記第１切替指示を受け付けた場合には、前記第２サムネイル列の状態は維持したまま前記第１サムネイル列に表示されているサムネイルを切替えて表示手段に表示し、前記第２切替指示を受け付けた場合には、前記第１サムネイル列の状態は維持したまま前記第２サムネイル列に表示されているサムネイルを切替えて表示手段に表示することを特徴とする画像表示装置。
【請求項２】
前記表示手段上の表示領域の一部であって前記第１切替指示を示す第１指示領域と、その第１指示領域とは別の前記表示手段上の表示領域の一部であって前記第２切替指示を示す第２指示領域とを記憶する指示領域記憶手段と、
その指示領域記憶手段に記憶されている前記第１指示領域または第２指示領域に、直接入力がされたかを検出する検出手段とを備え、
前記受付手段は、前記検出手段によって前記第１指示領域への直接入力が検出されたことを前記第１切替指示として受け付け、前記第２指示領域への直接入力が検出されたことを前記第２切替指示として受け付けることを特徴とする請求項１に記載の画像表示装置。
【請求項３】
前記第１サムネイル列は、前記第１指示領域と前記第２サムネイル列とに挟まれた位置に設定され、
前記第２サムネイル列は、前記第２指示領域と前記第１サムネイル列とに挟まれた位置に設定され、
前記第１指示領域を示す位置に第１アイコン、前記第２指示領域を示す位置に第２アイコンを表示し、又は、前記第１指示領域を示す位置と、前記第２指示領域を示す位置とは空白のまま表示する第２表示制御手段を備えていることを特徴とする請求項２に記載の画像表示装置。
【請求項４】
前記第１指示領域および第２指示領域は、領域の一端に最も近い第１区画と他端に最も近い第ｎ区画とを少なくとも含んだ複数の区画が第１区画から第ｎ区画に向かって並べられており、
前記指示領域記憶手段は、前記第１指示領域に関する区画の各々と、前記第１サムネイル列に関する画像の表示順とを対応つけて記憶し、かつ、前記第２指示領域に関する区画の各々と前記第２サムネイル列に関する画像の表示順とを対応つけて記憶し、
前記検出手段は、前記指示領域記憶手段に記憶されている区画のうち、どの区画が直接入力されたかを検出し、
前記受付手段は、前記検出手段によって前記第１指示領域に関する区画への直接入力が検出されたことを第１切替指示として受け付け、かつ、前記検出手段によって前記第２指示領域に関する区画への直接入力が検出されたことを第２切替指示として受け付け、
前記第１表示制御手段は、前記受付手段によって前記第１切替指示を受け付けた場合には、その第１切替指示に従って、直接入力された区画に対応するサムネイルを第１サムネイル列に表示するように、第１サムネイル列を所定量、所定方向にスクロールして表示し、前記第２切替指示を受け付けた場合には、その第２切替指示に従って、直接入力された区画に対応するサムネイルを第２サムネイル列に表示するように、第２サムネイル列を所定量、所定方向にスクロールして表示することを特徴とすることを特徴とする請求項３に記載の画像表示装置。
【請求項５】
前記第１指示領域は、前記第１サムネイル列の長手方向における両端部のうち少なくとも一方の端部に隣接する位置に設定され、
前記第２指示領域は、前記第２サムネイル列の長手方向における両端部のうち少なくとも一方の端部に隣接する位置に設定されており、
前記第１指示領域を示す位置に第１アイコン、前記第２指示領域を示す位置に第２アイコンを表示し、又は、前記第１指示領域を示す位置と、前記第２指示領域を示す位置とは空白のまま表示する第２表示制御手段を備えていることを特徴とする請求項２に記載の画像表示装置。
【請求項６】
前記検出手段は、前記第１指示領域または第２指示領域へ所定時間継続して又は複数回断続して直接入力がされたかを検出し、
前記受付手段は、前記検出手段によって前記第１指示領域への所定時間継続した又は複数回断続した直接入力が検出されたことを、第１切替指示として受け付け、前記第２指示領域への所定時間継続した又は複数回断続した直接入力が検出されたことを、第２切替指示として受け付け、
前記第１表示制御手段は、前記受付手段によって前記第１切替指示を受け付けた場合には、その第１切替指示に従って、第１サムネイル列を所定量、所定方向にスクロールして表示し、前記第２切替指示を受け付けた場合には、その第２切替指示に従って、第２サムネイル列を所定量、所定方向にスクロールして表示することを特徴とすることを特徴とする請求項５に記載の画像表示装置。
【請求項７】
前記第１指示領域は、前記表示手段上の表示領域のうち、前記第１サムネイル列として表示されているいずれかのサムネイルの位置に設定され、
前記第２指示領域は、前記表示手段上の表示領域のうち、前記第２サムネイル列として表示されているいずれかのサムネイルの位置に設定されていることを特徴とする請求項２に記載の画像表示装置。
【請求項８】
前記表示手段上の表示領域のうち、前記第１サムネイル列または前記第２サムネイル列を所定量、所定方向にスクロールするスクロール指示を示すスクロール領域を記憶するスクロール領域記憶手段と、
前記スクロール領域を示す位置にアイコンを表示し、又は、前記スクロール領域を示す位置は空白のまま表示する第２表示制御手段とを備え、
前記検出手段は、前記第１指示領域または第２指示領域へ直接入力がされた後、前記スクロール領域へ直接入力がされたかを検出し、
前記受付手段は、前記検出手段によって前記第１指示領域への直接入力が検出された後、前記スクロール領域への直接入力が検出されたことを、第１切替指示として受け付け、前記第２指示領域への直接入力が検出された後、前記スクロール領域への直接入力が検出されたことを、第２切替指示として受け付け、
前記第１表示制御手段は、前記受付手段によって前記第１切替指示を受け付けた場合には、その第１切替指示に従って、第１サムネイル列を所定量、所定方向にスクロールして表示し、前記第２切替指示を受け付けた場合には、その第２切替指示に従って、第２サムネイル列を所定量、所定方向にスクロールして表示することを特徴とすることを特徴とする請求項７に記載の画像表示装置。
【請求項９】
前記検出手段は、前記第１指示領域または第２指示領域へ直接入力がされ後、その直接入力されている表示手段上の位置が移動したかを検出し、
前記第１表示制御手段は、前記検出手段によって直接入力されている表示手段上の位置が移動したことを検出した場合に、その移動した位置に応じて、直接入力されたサムネイルと同じサムネイル画像を表示することを特徴とする請求項８に記載の画像表示装置。
【発明の詳細な説明】
【技術分野】
【０００１】
本発明は、第１サムネイル列と第２サムネイル列とのいずれか一方のサムネイル列の表示状態は維持したまま、他方のサムネイル列に表示されているサムネイルを切替えて表示することができる画像表示装置に関するものである。
【背景技術】
【０００２】
従来より、複数の画像データの各々から作成される各サムネイルを表示する表示手段を備えた画像表示装置が知られている。この画像表示装置に関し、次の特許文献１には、画像選択メニュー画面（プリント画像選択画面）に、記録メディア２０２に記録されている画像データに基づく複数の画像がサムネイル画像として所定数（たとえば１画面内に同時に表示可能な画像は１２枚）ずつ表示する。また、各サムネイル画像の下側には、前または後の１２枚分のサムネイル画像にシフトさせるための前へボタンＢＴ５、および、次へボタンＢＴ６を表示する。そして、前へボタンＢＴ５が選択された場合には、現在表示されているサムネイル画像よりも所定数前のサムネイル画像を表示し、次へボタンＢＴ６が選択された場合には、現在表示されているサムネイル画像よりも所定数後のサムネイル画像を表示する技術が記載されている。
【特許文献１】特開２００５−１０９９０７号公報（段落第「０１２３」、図９，図１０等）
【発明の開示】
【発明が解決しようとする課題】
【０００３】
しかしながら、上述した特許文献１に開示されている技術では、例えば、複数のサムネイル画像を一列に表示する第１サムネイル列と、その第１サムネイル列と平行に複数のサムネイル画像を一列に表示する第２サムネイル列とを同時に表示する場合、いずれか一方のサムネイル列の表示は維持したまま、他方のサムネイル列の表示を切替えたいというユーザーの要望に応えることができないという問題点があった。
【０００４】
本発明は上述した問題点を解決するためになされたものであり、第１サムネイル列と第２サムネイル列とのいずれか一方のサムネイ列の表示状態は維持したまま、他方のサムネイル列に表示されているサムネイルを切替えて表示することができる画像表示装置を提供することを目的としている。
【課題を解決するための手段】
【０００５】
この目的を達成するために、請求項１記載の画像表示装置は、複数の画像について、第１サムネイル列での表示順との対応情報を管理し、かつ、第２サムネイル列での表示順との対応情報を管理する管理手段と、その管理手段で管理される対応情報に従い、前記各画像のサムネイルを第１サムネイル列として並べて表示手段に表示し、かつ、前記第１サムネイル列とは別の第２サムネイル列として並べて表示手段に表示する第１表示制御手段と、第１切替指示と、第２切替指示とを受け付ける受付手段とを備え、前記第１表示制御手段は、前記受付手段によって前記第１切替指示を受け付けた場合には、前記第２サムネイル列の状態は維持したまま前記第１サムネイル列に表示されているサムネイルを切替えて表示手段に表示し、前記第２切替指示を受け付けた場合には、前記第１サムネイル列の状態は維持したまま前記第２サムネイル列に表示されているサムネイルを切替えて表示手段に表示する。
【０００６】
請求項２記載の画像表示装置は、請求項１に記載の画像表示装置において、前記表示手段上の表示領域の一部であって前記第１切替指示を示す第１指示領域と、その第１指示領域とは別の前記表示手段上の表示領域の一部であって前記第２切替指示を示す第２指示領域とを記憶する指示領域記憶手段と、その指示領域記憶手段に記憶されている前記第１指示領域または第２指示領域に、直接入力がされたかを検出する検出手段とを備え、前記受付手段は、前記検出手段によって前記第１指示領域への直接入力が検出されたことを前記第１切替指示として受け付け、前記第２指示領域への直接入力が検出されたことを前記第２切替指示として受け付ける。尚、「直接入力がされた」とは、表示手段上の表示領域へ物理的な接触または接近がなされたことをいい、例えば、ユーザーが表示手段上の表示領域へ指や所定の物体を直接接触させたり近づけたりすることをいう（以下、同様）。
【０００７】
請求項３記載の画像表示装置は、請求項２に記載の画像表示装置において、前記第１サムネイル列は、前記第１指示領域と前記第２サムネイル列とに挟まれた位置に設定され、前記第２サムネイル列は、前記第２指示領域と前記第１サムネイル列とに挟まれた位置に設定され、前記第１指示領域を示す位置に第１アイコン、前記第２指示領域を示す位置に第２アイコンを表示し、又は、前記第１指示領域を示す位置と、前記第２指示領域を示す位置とは空白のまま表示する第２表示制御手段を備えている。
【０００８】
請求項４記載の画像表示装置は、請求項３に記載の画像表示装置において、前記第１指示領域および第２指示領域は、領域の一端に最も近い第１区画と他端に最も近い第ｎ区画とを少なくとも含んだ複数の区画が第１区画から第ｎ区画に向かって並べられており、前記指示領域記憶手段は、前記第１指示領域に関する区画の各々と、前記第１サムネイル列に関する画像の表示順とを対応つけて記憶し、かつ、前記第２指示領域に関する区画の各々と前記第２サムネイル列に関する画像の表示順とを対応つけて記憶し、前記検出手段は、前記指示領域記憶手段に記憶されている区画のうち、どの区画が直接入力されたかを検出し、前記受付手段は、前記検出手段によって前記第１指示領域に関する区画への直接入力が検出されたことを第１切替指示として受け付け、かつ、前記検出手段によって前記第２指示領域に関する区画への直接入力が検出されたことを第２切替指示として受け付け、前記第１表示制御手段は、前記受付手段によって前記第１切替指示を受け付けた場合には、その第１切替指示に従って、直接入力された区画に対応するサムネイルを第１サムネイル列に表示するように、第１サムネイル列を所定量、所定方向にスクロールして表示し、前記第２切替指示を受け付けた場合には、その第２切替指示に従って、直接入力された区画に対応するサムネイルを第２サムネイル列に表示するように、第２サムネイル列を所定量、所定方向にスクロールして表示する。
【０００９】
請求項５記載の画像表示装置は、請求項２に記載の画像表示装置において、前記第１指示領域は、前記第１サムネイル列の長手方向における両端部のうち少なくとも一方の端部に隣接した位置に設定され、前記第２指示領域は、前記第２サムネイル列の長手方向における両端部のうち少なくとも一方の端部に隣接した位置に設定されており、前記第１指示領域を示す位置に第１アイコン、前記第２指示領域を示す位置に第２アイコンを表示し、又は、前記第１指示領域を示す位置と、前記第２指示領域を示す位置とは空白のまま表示する第２表示制御手段を備えている。
【００１０】
請求項６記載の画像表示装置は、請求項５に記載の画像表示装置において、前記検出手段は、前記第１指示領域または第２指示領域へ所定時間継続して又は複数回断続して直接入力がされたかを検出し、前記受付手段は、前記検出手段によって前記第１指示領域への所定時間継続した又は複数回断続した直接入力が検出されたことを、第１切替指示として受け付け、前記第２指示領域への所定時間継続した又は複数回断続した直接入力が検出されたことを、第２切替指示として受け付け、前記第１表示制御手段は、前記受付手段によって前記第１切替指示を受け付けた場合には、その第１切替指示に従って、第１サムネイル列を所定量、所定方向にスクロールして表示し、前記第２切替指示を受け付けた場合には、その第２切替指示に従って、第２サムネイル列を所定量、所定方向にスクロールして表示する。
【００１１】
請求項７記載の画像表示装置は、請求項２に記載の画像表示装置において、前記第１指示領域は、前記表示手段上の表示領域のうち、前記第１サムネイル列として表示されているいずれかのサムネイルの位置に設定され、前記第２指示領域は、前記表示手段上の表示領域のうち、前記第２サムネイル列として表示されているいずれかのサムネイルの位置に設定されている。
【００１２】
請求項８記載の画像表示装置は、請求項７に記載の画像表示装置において、前記表示手段上の表示領域のうち、前記第１サムネイル列または前記第２サムネイル列を所定量、所定方向にスクロールするスクロール指示を示すスクロール領域を記憶するスクロール領域記憶手段と、前記スクロール領域を示す位置にアイコンを表示し、又は、前記スクロール領域を示す位置は空白のまま表示する第２表示制御手段とを備え、前記検出手段は、前記第１指示領域または第２指示領域へ直接入力がされた後、前記スクロール領域へ直接入力がされたかを検出し、前記受付手段は、前記検出手段によって前記第１指示領域への直接入力が検出された後、前記スクロール領域への直接入力が検出されたことを、第１切替指示として受け付け、前記第２指示領域への直接入力が検出された後、前記スクロール領域への直接入力が検出されたことを、第２切替指示として受け付け、前記第１表示制御手段は、前記受付手段によって前記第１切替指示を受け付けた場合には、その第１切替指示に従って、第１サムネイル列を所定量、所定方向にスクロールして表示し、前記第２切替指示を受け付けた場合には、その第２切替指示に従って、第２サムネイル列を所定量、所定方向にスクロールして表示する。
【００１３】
請求項９記載の画像表示装置は、請求項８に記載の画像表示装置において、前記検出手段は、前記第１指示領域または第２指示領域へ直接入力がされ後、その直接入力されている表示手段上の位置が移動したかを検出し、前記第１表示制御手段は、前記検出手段によって直接入力されている表示手段上の位置が移動したことを検出した場合に、その移動した位置に応じて、直接入力されたサムネイルと同じサムネイル画像を表示する。
【発明の効果】
【００１４】
請求項１記載の画像表示装置によれば、第１切替指示を受け付けた場合には、第２サムネイル列の状態は維持したまま第１サムネイル列に表示されているサムネイルを切替えて表示手段に表示し、第２切替指示を受け付けた場合には、第１サムネイル列の状態は維持したまま第２サムネイル列に表示されているサムネイルを切替えて表示手段に表示するので、第１サムネイル列と第２サムネイル列とのいずれか一方のサムネイ列の表示状態は維持したまま、他方のサムネイル列に表示されているサムネイルを切替えて表示することができるという効果がある。
【００１５】
請求項２記載の画像表示装置によれば、請求項１に記載の画像表示装置の奏する効果に加え、第１指示領域への直接入力が検出されたことを第１切替指示として受け付け、第２指示領域への直接入力が検出されたことを第２切替指示として受け付けるので、第１切替指示と、第２指示切替指示とを簡単に入力することができるという効果がある。
【００１６】
請求項３記載の画像表示装置によれば、請求項１に記載の画像表示装置の奏する効果に加え、表示手段上では、第１指示領域、第１サムネイル列、第２サムネイル列、第２サムネイル列とが順番に並んで設定されているので、第１指示領域が第１サムネイル列に対応し、第２指示領域が第２サムネイル列に対応していることを、ユーザーに直感的に認識させ易く、ユーザーが誤操作するのを抑制することができるという効果がある。また、前記第１指示領域を示す位置に第１アイコン、前記第２指示領域を示す位置に第２アイコンを表示することで、表示手段上における第１指示領域の位置、第２指示領域の位置がユーザーにとって分かり易いという効果がある。
【００１７】
請求項４記載の画像表示装置によれば、請求項３に記載の画像表示装置の奏する効果に加え、全画像データのうち、どのあたりの表示順に位置する画像データのサムネイルを、表示させるかがユーザーにとって認識し易いという効果がある。
【００１８】
請求項５記載の画像表示装置によれば、請求項２に記載の画像表示装置の奏する効果に加え、第１指示領域が第１サムネイル列に対応し、第２指示領域が第２サムネイル列に対応していることを、ユーザーに認識させ易く、ユーザーが誤操作するのを抑制することができるという効果がある。また、前記第１指示領域を示す位置に第１アイコン、前記第２指示領域を示す位置に第２アイコンを表示することで、表示手段上における第１指示領域の位置、第２指示領域の位置がユーザーにとって分かり易いという効果がある。
【００１９】
請求項６記載の画像表示装置によれば、請求項５に記載の画像表示装置の奏する効果に加え、第１指示領域への所定時間継続した又は複数回断続した直接入力が検出された場合には、第１サムネイル列を所定量、所定方向にスクロールして表示し、第２指示領域への所定時間継続した又は複数回断続した直接入力が検出された場合には、第２サムネイル列を所定量、所定方向にスクロールして表示するので、ユーザーの所望するサムネイルを簡単に第１サムネイル列または第２サムネイル列に表示することができるという効果がある。
【００２０】
請求項７記載の画像表示装置によれば、請求項１から６のいずれかに記載の画像表示装置の奏する効果に加え、第１指示領域が第１サムネイル列に対応し、第２指示領域が第２サムネイル列に対応していることを、ユーザーに認識させ易く、ユーザーが誤操作するのを抑制することができるという効果がある。
【００２１】
請求項８記載の画像表示装置によれば、請求項７に記載の画像表示装置の奏する効果に加え、第１指示領域への直接入力が検出された後、スクロール領域への直接入力が検出された場合には、第１サムネイル列を所定量、所定方向にスクロールして表示し、第２指示領域への直接入力が検出された後、スクロール領域への直接入力が検出された場合には、第２サムネイル列を所定量、所定方向にスクロールして表示するので、ユーザーの所望するサムネイルを簡単に第１サムネイル列または第２サムネイル列に表示することができるという効果がある。
【００２２】
請求項９記載の画像表示装置によれば、請求項８に記載の画像表示装置の奏する効果に加え、検出手段によって直接入力されている表示手段上の位置が移動したことを検出した場合には、その移動した位置に応じて、直接入力されたサムネイルと同じサムネイル画像を表示するので、直接入力したサムネイル自体が非表示とされても、直接入力したサムネイルを常に確認することができるという効果がある。
【発明を実施するための最良の形態】
【００２３】
以下、本発明の好ましい実施の形態について、添付図面を参照して説明する。図１は、本発明の実施形態である複合機１の外観構成を示す斜視図である。複合機１は、特に、変更前サムネイル列と変更後サムネイル列とのいずれか一方のサムネイ列の表示状態は維持したまま、他方のサムネイル列に表示されているサムネイルを切替えて表示することができる装置である。
【００２４】
複合機１は、下部に設けられたプリンタ２と、上部に設けられたスキャナ３と、スキャナ３の正面側に設けられた操作パネル４とを一体的に備えたＭＦＤ（Ｍｕｌｔｉ  Ｆｕｎｃｔｉｏｎ  Ｄｅｖｉｃｅ）であり、スキャナ機能、コピー機能、ファクシミリ機能を備えている。
【００２５】
その他にも、複合機１は、ＵＳＢメモリ、デジタルカメラ、パーソナルコンピュータ等の外部装置と接続されて外部装置から受け取ったデータを記録用紙Ｋに記録したりする機能、また、外部装置から受け取ったデータを操作パネル４上の液晶ディスプレイ（ＬＣＤ：Ｌｉｑｕｉｄ  Ｃｒｙｓｔａｌ  Ｄｉｓｐｌａｙ）４１に表示する機能をも備えている。
【００２６】
また、複合機１の正面側には、操作パネル４が設けられている。操作パネル４は、プリンタ２やスキャナ３を操作するためのものであり、各種操作キー４０（４０ａ、４０ｂ、４０ｃ、４０ｄ、４０ｅ）とＬＣＤ４１とが備えられている。
【００２７】
ＬＣＤ４１は、矢印Ａ方向を長手方向（幅方向）とする矩形状に形成されており、幅方向を横とした場合の縦横比は３対８で構成されている。より具体的には、縦横比が３対４である矩形状の独立した２つのＬＣＤを矢印Ａ方向に隣接させて一体的に構成されている。但し、図中では、この縮尺は無視して図示している。
【００２８】
また、ＬＣＤ４１は周知の直接入力パネルと一体で構成されており、ＬＣＤ４１に表示しているサムネイル、アイコン等がユーザーによって直接入力されれば、その直接入力されたＬＣＤ４１上の座標から直接入力されたサムネイル、アイコン等を認識することができる。また、直接入力された表示領域だけでなく、ユーザーがＬＣＤ４１上を所定の軌跡に沿ってなぞった場合、その軌跡の終点のＬＣＤ４１上の座標も認識することができる。
【００２９】
複合機１に所定の指令が入力されると、その入力された情報に基づいて該複合機１の動作が制御部２０（図２参照）によって制御される。なお、複合機１は、操作パネル４から入力された指令のほか、コンピュータからプリンタドライバやスキャナドライバ等を介して送信される指令に基づいて動作するように構成されている。
【００３０】
操作パネル４の下方であって上記開口１１の上方には、接続パネル７０が設けられている。この接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。
【００３１】
接続パネル７０の右端側にはスロット部７２が配設されている。スロット部７２はメモリカード（カード型メモリ）を装填可能な複数のカードスロットが設けられている。カードスロットにメモリカードが装填され、該装填されたメモリカードから画像データが後述の制御部２０により読み出すことができる。
【００３２】
図２を参照して、複合機１の動作を制御する制御部２０の概略構成について説明する。図２は、複合機１の制御部２０の概略構成を示すブロック図である。制御部２０は、プリンタ２、スキャナ３及び操作パネル４を含む複合機１の動作を統括的に制御するものである。
【００３３】
制御部２０は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主とするマイクロコンピュータとして構成されており、バス２５を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６に接続されている。  
ＣＰＵ２１は、複合機１を総括的に制御する中央演算処理であり、ＲＯＭ２２に記憶されているプログラムに沿って動作する。ＲＯＭ２２には、複合機１の各種動作を制御するためのプログラムが格納されており、図４，７，１０，１２のフローチャートに示すサムネイル切替え処理を実行させるためのプログラムとして、サムネイル切替えプログラム２２ａが記憶されている。このサムネイル切替え処理は、変更前サムネイル列と変更後サムネイル列とのいずれか一方のサムネイ列の表示状態は維持したまま、他方のサムネイル列に表示されているサムネイルを切替えて表示する処理である。
【００３４】
ＥＥＰＲＯＭ２３は、書き換え可能な不揮発性のメモリであり、表示領域メモリ２３ａを備えている。表示領域メモリ２３ａは、ＬＣＤ４１上に表示するサムネイルの表示領域Ｓ１〜Ｓ５や各種アイコンの表示領域Ｂ１，Ｂ２と、ＬＣＤ４１上の座標とを対応つけて記憶するものである。
【００３５】
ここで、図３を参照して、表示領域メモリ２３ａについて、具体的に説明する。図３（ａ）は、第１実施形態のサムネイル表示画面をＬＣＤ４１に表示した場合に、ＬＣＤ４１に表示するサムネイルやアイコンの表示位置を説明するための図である。図３（ｂ）は、表示領域メモリ２３ａに記憶されている第１実施形態の座標テーブルを模式的に示す図である。
【００３６】
図３（ａ）に示す通り、第１実施形態のサムネイル表示画面は、変更前の順番で画像データのサムネイルを並べた変更前サムネイル列と、変更後の順番で画像データのサムネイルを並べた変更後サムネイル列との２列のサムネイル列を平行にＬＣＤ４１に表示する表示画面である。
【００３７】
変更前サムネイル列は、後述する画像データメモリ２４ａに記憶されている画像データのサムネイルを所定の順番（更新日時、サイズ等）で並べて表示する列であり、変更後サムネイル列は、変更前サムネイル列に表示されているサムネイルの表示順をユーザーの指示で並び代えた後のサムネイルを表示する列である。
【００３８】
サムネイル表示画面では、変更前サムネイル列として、縦書きの「変更前」の文字を先頭に、変更前の順番で画像データのサムネイルを最大で５ページ分、横一列に並べて表示する。座標テーブルには、この５ページ分のサムネイルを表示する表示領域Ｓ１〜Ｓ５と、ＬＣＤ４１上の座標とが対応つけて記憶されている。
【００３９】
例えば、図３（ｂ）に示す通り、変更前サムネイル列の最左端の表示領域Ｓ１は、ＬＣＤ４１上の２点の座標（座標Ａ（９，１２）、座標Ｂ（１６，１９））と対応つけて記憶されており、表示領域Ｓ１は、この２点の座標により規定される矩形状の領域として規定されている。同様に、変更前サムネイル列の各表示領域Ｓ２〜Ｓ５は、ＬＣＤ４１上の２点の座標と対応つけて記憶されており、これにより、各表示領域Ｓ１〜Ｓ５のうち、いずれの表示領域Ｓ１〜Ｓ５が直接入力されたかを検出することができる。
【００４０】
また、変更前サムネイル列の下方に、変更後サムネイル列として、縦書きの「変更後」の文字を先頭に、変更後の順番で画像データのサムネイルＳを最大で５ページ分、横一列に並べて表示する。座標テーブルには、この５ページ分のサムネイルを表示する各表示領域Ｓ１〜Ｓ５と、ＬＣＤ４１上の座標とが対応つけて記憶されている。
【００４１】
例えば、図３（ｂ）に示すように、変更後サムネイル列の最左端の表示領域Ｓ１は、ＬＣＤ４１上の２点の座標（座標Ｃ（９，４）、座標Ｂ（１６，１１）と対応つけて記憶されており、表示領域Ｓ１は、この２点の座標により規定される矩形状の領域として規定されている。同様に、変更前サムネイル列の各表示領域Ｓ２〜Ｓ５は、ＬＣＤ４１上の２点の座標と対応つけて記憶されており、これにより、各表示領域Ｓ１〜Ｓ５のうち、いずれの表示領域Ｓ１〜Ｓ５が直接入力されたかを検出することができる。
【００４２】
また、変更前サムネイル列の上方の表示領域に、第１スクロールバー５０を表示する。第１スクロールバー５０は、変更前サムネイル列に表示するサムネイルを切替える指示を受け付けるアイコンである。
【００４３】
第１スクロールバー５０を表示する表示領域Ｂ１は、その長手方向が変更前の画像データの総数で均等に区画され、座標テーブルには、その区画された各区画領域と、ＬＣＤ４１上の座標とが対応つけて記憶されている。即ち、第１スクロールバー５０は、長手方向の全長が変更前の画像データの総数を示し、左から順番に各ページを示している。例えば、変更前の画像データの総数が３０ページであれば、第１スクロールバー５０の長手方向の左端が１ページ目、真中が１５ページ目、右端が３０ページ目を示している。
【００４４】
具体的には、図３（ｂ）に示すように、第１スクロールバー５０の全部の表示領域Ｂ１は、ＬＣＤ４１上の２点の座標（座標Ｅ（１１，２１）、座標Ｆ（４１，２２）と対応つけて記憶されており、更に、その表示領域Ｂ１が長手方向に変更前の画像データの総数で均等に区画され、その区画された各区画領域と、ＬＣＤ４１上の２点の座標とが対応つけて記憶されている。
【００４５】
例えば、１ページ目の区画領域は、ＬＣＤ４１上の２点の座標（座標Ｅ（１１，２１）、座標Ｇ（１３，２２）と対応つけて記憶されており、１ページ目の区画領域は、この２点の座標により規定される矩形状の領域として規定されている。これにより、第１スクロールバー５０の表示領域Ｂ１のうち、いずれの区画領域が直接入力されたかを検出することができる。
【００４６】
また、変更後サムネイル列の下方の表示領域に、第２スクロールバー５２を表示する。第２スクロールバー５２は、変更後サムネイル列に表示するサムネイルを左右にスクロールさせる指示を受け付けるアイコンである。
【００４７】
第２スクロールバー５２を表示する表示領域Ｂ２は、その長手方向が変更後の画像データの総数で均等に区画され、座標テーブルには、その区画された各表示領域と、ＬＣＤ４１上の座標とが対応つけて記憶されている。即ち、第２スクロールバー５２は、長手方向の全長が変更後の画像データの総数を示し、左から順番に各ページを示している。例えば、変更後の画像データの総数が１０ページであれば、第２スクロールバー５２の長手方向の左端が１ページ目、真中が５ページ目、右端が１０ページ目を示している。
【００４８】
具体的には、図３（ｂ）に示すように、第２スクロールバー５２の表示領域Ｂ２は、ＬＣＤ４１上の２点の座標（座標Ｈ（１１，１）、座標Ｉ（４１，２）と対応つけて記憶されており、更に、その表示領域Ｂ２が長手方向に変更後の画像データの総数で均等に区画され、その区画された各区画領域と、ＬＣＤ４１上の２点の座標とが対応つけて記憶されている。
【００４９】
例えば、１ページ目の区画領域は、ＬＣＤ４１上の２点の座標（座標Ｈ（１１，１）、座標Ｊ（２１，２）と対応つけて記憶されており、１ページ目の区画領域は、この２点の座標により規定される矩形状の領域として規定されている。これにより、第２スクロールバー５２の表示領域Ｂ２のうち、いずれの区画領域が直接入力されたかを検出することができる。
【００５０】
ＲＡＭ２４は、ＣＰＵ２１が上記プログラムを実行する際に用いる各種データを一時的に記録する記憶領域又は作業領域として使用され、画像データメモリ２４ａと、変更前サムネイル列リストメモリ２４ｂと、変更後サムネイル列リストメモリ２４ｃとを備えている。
【００５１】
画像データメモリ２４ａは、サムネイル表示画面に表示するサムネイルの画像データを記憶するものであり、画像データは、メモリカードから、又は、内部メモリ（例えば、ＥＥＰＲＯＭ２３）から、又は、スキャナ３から読み込んだ画像データが記憶されている。
【００５２】
変更前サムネイル列リストメモリ２４ｂは、変更前サムネイル列リストを記憶するものであり、この変更前サムネイル列リストに従って、変更前サムネイル列のサムネイルを表示する。
【００５３】
ここで、図５（ｂ１）を参照して、変更前サムネイル列リストについて説明する。図５（ｂ１）は第１実施形態における初期状態の変更前サムネイル列リストを模式的に示す図である。
【００５４】
図５（ｂ１）に示す通り、変更前サムネイル列リストは、サムネイル毎（画像データ毎）に、ページ番号５５と、画像ファイル名５６と、画面内フラグ５７との各々が対応つけて記憶されている。
【００５５】
ページ番号５５は、変更前サムネイル列に表示する各サムネイルの表示順を示している。画像ファイル名５６は、各サムネイルに対応する各画像データのファイル名を示している。この画像フィル名により各サムネイルに対応する画像データを特定することができる。画面内フラグ５７は、各サムネイルをＬＣＤ４１に表示するか否かを示すものであり、表示する場合に「１」、表示しない場合に「０」に設定する。
【００５６】
本実施形態では、初期状態では、ページ番号５５が「１」〜「５」に対応するサムネイルの画面内フラグ５７を「１」に設定する。また、画面内フラグ５７が「１」に設定されているサムネイルのうち、ページ番号５５の番号が早い方から順番に、変更前サムネイル列の左から順番にサムネイルを表示する。
【００５７】
よって、変更前サムネイルリストが図５（ｂ１）に示す状態の場合、図３（ａ）に示す変更前サムネイル列の表示領域Ｓ１〜Ｓ５には、左から順番に、画像ファイル名が「ａａａ．ｐｄｆ」、「ｂ２ｂ２．ｐｄｆ」、「３３３ｃ．ｐｄｆ」、「４ｄｄｄ．ｐｄｆ」「Ｖ．ｐｄｆ」に対応するサムネイルを表示する。
【００５８】
変更後サムネイル列リストメモリ２４ｃは、変更後サムネイル列リストを記憶するものであり、この変更後サムネイル列リストに従って、変更前サムネイル列のサムネイルを表示する。尚、この変更後サムネイル列リストは、上述した変更前サムネイルリストと同様に構成されているので、その具体的な説明は省略する。
【００５９】
ＡＳＩＣ２６は、ＣＰＵ２１からの指令に従い、プリンタ２、スキャナ３、操作パネル４、及びスロット部７２などの動作制御を行なう。
【００６０】
また、ＡＳＩＣ２６には、複合機１に所望の指令を入力する操作キー４０を制御するパネルゲートアレイ２７（パネルＧＡ２７）、ＬＣＤ４１の画面表示を制御するＬＣＤコントローラ２８、コンピュータとパラレルケーブル又はＵＳＢケーブルを介してデータの送受信を行なうためのパラレルインタフェース２９、ＵＳＢ端子７１、アンプ７を介してスピーカ７４が接続されている。さらに、ＡＳＩＣ２６には、ＮＣＵ（Ｎｅｔｗｏｒｋ  Ｃｏｎｔｒｏｌ  Ｕｎｉｔ）３１が接続され、そのＮＣＵにはモデム３２が接続されている。
【００６１】
図４は、第１実施形態のサムネイル切替え処理を示すフローチャートである。この処理は、ユーザーの指示に従って、変更前サムネイル列または変更後サムネイル列のうち、一方のサムネイル列の表示は維持したまま、他方のサムネイル列に表示されているサムネイルを切替えて表示する処理であり、ユーザーの指示があった場合に実行する。
【００６２】
この処理では、まず、初期状態のサムネイル表示画面をＬＣＤ４１に表示する（Ｓ４０１）。具体的には、ユーザーによってサムネイル表示画面を表示する指示があった場合には、画像メデータメモリ２４ａに記憶されている画像データに基づいて変更前サムネイル列リストを作成し、変更前サムネイル列リストメモリ２４ｂに記憶する。また、変更前サムネイル列リストと同じ状態にある変更後サムネイル列リストを、変更後サムネイル列リストメモリ２４ｃに記憶する。
【００６３】
更に、変更前サムネイル列リストにリストされている画像データの総数に基づいて、第１スクロールバー５０の表示領域を区画し、その各区画領域にＬＣＤ４１上の座標を割り当て座標テーブルに記憶する。同様に、変更後サムネイル列リストにリストされている画像データの総数に基づいて、第２スクロールバー５２の表示領域を区画し、その各区画領域にＬＣＤ４１上の座標を割り当て座標テーブルに記憶する。
【００６４】
そして、変更前サムネイル列リストに従って変更前サムネイル列、変更後サムネイル列リストに従って変更後サムネイル列を表示すると共に、第１，第２スクロールバー５０，５２をＬＣＤ４１に表示する。
【００６５】
ここで、図５（ａ１）、（ｂ１）を参照して、第１実施形態における初期状態のサムネイル表示画面について具体的に説明する。図５（ａ１）は、第１実施形態における初期状態のサムネイル表示画面を示す図であり、図５（ｂ１）は、第１実施形態における初期状態の変更前サムネイル列リストを示す図である。
【００６６】
図５（ａ１）に示す変更前サムネイル列は、図５（ｂ１）に示す変更前サムネイル列リストに従って表示する。即ち、図５（ｂ１）に示す変更前サムネイル列リストにおいて、画面内フラグ５７が「１」に設定されているサムネイルを、ページ番号５５が早い方から順番に、変更前サムネイル列の左から順番に表示する。また、この場合、変更前サムネイル列に表示する各サムネイルには、各サムネイルのページ番号５５に対応したローマ数字（Ｉ，ＩＩ，ＩＩＩ・・Ｖ）を対応つけて表示する。
【００６７】
一方、変更後サムネイル列は、図示しない変更後サムネイル列リストに従って表示する。尚、上述したように、変更後サムネイル列リストは、初期状態では、図５（ｂ１）に示す変更前サムネイル列リストと同じ状態に設定されているので、初期状態の変更後サムネイル列には、変更前サムネイル列と同じサムネイルを同じ順番で表示する。
【００６８】
更に、第１スクロールバー５０と第２スクロールバー５２との各アイコンを座標テーブルに記憶されているＬＣＤ４１上の座標に従って表示すると共に、各スクロールバー５０，５２上に沿って移動するポインタ５１，５３を、各スクロールバー５０，５２の左端に表示する。尚、変更前サムネイル列、変更後サムネイル列、第１，第２スクロールバー５０，５１は、上述した順番で必ずしも表示されるものではない。
【００６９】
このように、サムネイル表示画面では、図中上方から順番に、第１スクロールバー５０、変更前サムネイル列、変更後サムネイル列、第２スクロールバー５２を並べて表示するので、第１スクロールバー５０が変更前サムネイル列に対応し、第２スクロールバー５２が変更後サムネイル列に対応していることを、ユーザーに認識させ易く、誤操作されるのを抑制することができる。
【００７０】
再び、図４に戻り説明を続ける。Ｓ４０１の処理において、初期状態のサムネイル表示画面を表示すると、次に、いずれかのスクロールバーのうち（第１，第２スクロールバー５０，５２）、いずれかの区画領域がタッチされたかを判断する（Ｓ４０２）。そして、いずれの区画領域をタッチされないと判断した場合には（Ｓ４０２：Ｎｏ）、本処理を終了し、いずれかの区画領域がタッチされたと判断した場合には（Ｓ４０２：Ｙｅｓ）、タッチされた区画領域に対応するサムネイルを表示するように、タッチされた方のサムネイル列リストの画面内フラグ５７を更新する（Ｓ４０３）。即ち、タッチされた区画領域に対応するサムネイルの画面内フラグ５７を含む５ページ分の画面内フラグ５７を「１」に設定し、他の画面内フラグ５７を「０」に設定する。
【００７１】
そして、その設定した画面内フラグ５７に従って、タッチされなかった方のサムネイル列の表示は維持したまま、タッチされた方のサムネイル列のサムネイルの表示を切替え（Ｓ４０４）、本処理を終了する。
【００７２】
この処理を、図５を参照して、具体的に説明する。図５（ａ２）は、図５（ａ１）に示す初期状態のサムネイル表示画面において、第１スクロールバー５０がタッチされている状態のサムネイル表示画面を示す図であり、図５（ａ３）は、変更前サムネイル列が切替えられた後のサムネイル表示画面を示す図である。図５（ｂ２）は、図５（ｂ１）に示す初期状態から画面内フラグが更新された後の変更前サムネイル列リストを示す図である。
【００７３】
図５（ａ１）に示す初期状態のサムネイル表示画面が表示されている状態で、図５（ａ２）に示すように、第１スクロールバー５０の左から第５番目の区画領域（図中矢印の先端部参照）がユーザーによってタッチされたとする。
【００７４】
この場合、タッチされたＬＣＤ４１上の座標を検出し、その検出した座標から座標テーブルを利用して、いずれのスクロールバーのどの区画領域がタッチされたかを検出する。即ち、第１スクロールバー５０の左から第５番目の区画領域がタッチされたことを検出する。そして、図５（ｂ１）に示す変更前サムネイル列リストの画面内フラグ５７を、図５（ｂ２）に示すように更新する。具体的には、ページ番号５５が「５」〜「９」の画面内フラグ５７を「１」に設定すると共に、他の画面内フラグ５７を「０」に設定する。
【００７５】
そして、更新した変更前サムネイル列リストに従って、サムネイル表示画面を、図５（ａ１）に示す状態から図５（ａ３）に示す状態に更新する。即ち、変更後サムネイル列の表示は維持したまま、変更前サムネイル列の左から順番に、ページ番号５５が「５」〜「９」に対応する５枚のサムネイル（ローマ数字：Ｖ〜ＩＸ）を順番に表示する。
【００７６】
尚、タッチされた第１スクロールバー５０の座標を検出した場合には、図５（ａ３）に示すように、その検出した座標位置にポインタ５１を表示する。これにより、現在、変更前サムネイル列として表示されているサムネイルが、全体のどの辺りの順番のサムネイルであるかを一見して把握することができる。
【００７７】
このように、この第１実施形態のサムネイル切替え処理によれば、ユーザーの指示に従って変更前サムネイル列または変更後サムネイル列のうち、一方のサムネイル列の表示は維持したまま、他方のサムネイル列のサムネイルの表示を切替えることができる。また、ユーザーは、ＬＣＤ４１に表示させたいサムネイルを、第１スクロールバー５０または第２スクロールバー５２からあたりをつけることができ、更に、第１スクロールバー５０または第２スクロールバー５２の該当部分をタッチするという簡単操作で、表示するサムネイルの指示を入力することができる。
【００７８】
上述した実施形態では、変更前サムネイル列の表示を切替える場合について説明したが、第２スクロールバー５２の所定の位置がタッチされた場合には、変更前サムネイル列の表示は維持したまま、上述したのと同様に、変更後サムネイル列の表示を切替えることは言うまでもない。
【００７９】
また、この実施形態では、タッチされた区画領域に対応するサムネイルを、サムネイル列の最左端に表示する場合について説明したが、タッチされた区画領域に対応するサムネイルを表示する位置は、サムネイル列のいずれかの位置であれば、サムネイル列の最左端に限定されるものではない。
【００８０】
次に、図６乃至図８を参照して、第２実施形態について説明する。この第２実施形態では、上述した第１スクロールバー５０、第２スクロールバー５１に代えて、変更前サムネイル列および変更後サムネイル列の各サムネイル列毎に、第１スクロール領域と、第２スクロール領域とを設定したものである。
【００８１】
図６（ａ）は、図３（ａ）に対応する図であり、第２実施形態のサムネイル表示画面をＬＣＤ４１に表示した場合にＬＣＤ４１に表示するサムネイルやアイコンの表示位置を説明するための図である。図６（ｂ）は、図３（ｂ）に対応する図であり、表示領域メモリ２３ａに記憶されている第２実施形態における座標テーブルを模式的に示す図である。
【００８２】
図６（ａ）に示す通り、第２実施形態のサムネイル表示画面には、第１実施形態の場合と同様に、変更前サムネイル列と、変更後サムネイル列とを表示する。また、変更前サムネイル列の左端部に隣接する領域に第１スクロール領域Ｂ１（一点鎖線領域参照）、右端部に隣接する領域に第２スクロール領域Ｂ２（一点鎖線領域参照）が設定されている。また、同様に、変更後サムネイル列の左端部に隣接する領域に第１スクロール領域Ｃ１（一点鎖線領域参照）、右端部に隣接する領域に第２スクロール領域Ｃ２（一点鎖線領域参照）が設定されている。尚、これらの各指示領域には、特に、ユーザーが視認可能なアイコンは表示されず、空白のままである。
【００８３】
第１スクロール領域Ｂ１は、変更前サムネイル列のサムネイルを、図中右方にスクロールする指示を受け付ける領域として割り当てられており、第２スクロール領域Ｂ２は、変更前サムネイル列のサムネイルを、図中左方にスクロールする指示を受け付ける領域として割り当てられている。同様に、第１スクロール領域Ｃ１は、変更後サムネイル列のサムネイルを、図中右方にスクロールする指示を受け付ける領域として割り当てられており、第２スクロール領域Ｃ２は、変更後サムネイル列のサムネイルを、図中左方にスクロールする指示を受け付ける領域として割り当てられている。
【００８４】
そして、図６（ｂ）に示す座標テーブルには、各サムネイル列にサムネイルを表示する表示領域Ｓ１〜Ｓ５と、ＬＣＤ４１上の座標とが対応に加え、第１スクロール領域Ｂ１、第２スクロール領域Ｂ２、第１スクロール領域Ｃ１、第２スクロール領域Ｃ２の各スクロール領域と、ＬＣＤ４１上の座標とが対応つけて記憶されている。
【００８５】
具体的には、第１スクロール領域Ｂ１は、ＬＣＤ上の２点の座標（座標Ｅ（５，１２）、座標Ｆ（８，１９）と対応つけて記憶されており、第１スクロール領域Ｂ１は、この２点の座標により規定される矩形状の領域として規定されている。その他の第２スクロール領域Ｂ２、第１スクロール領域Ｃ１、第２スクロール領域Ｃ２についても同様に、ＬＣＤ４１上の２点の座標と対応つけて座標テーブルに記憶されている。
【００８６】
これにより、第１スクロール領域Ｂ１、第２スクロール領域Ｂ２、第１スクロール領域Ｃ１、第２スクロール領域Ｃ２の各スクロール領域のうち、いずれのスクロール領域がタッチされたかを検出することができる。
【００８７】
また、第１スクロール領域Ｂ１は、変更前サムネイル列の左端部に隣接する領域に設定され、第２スクロール領域Ｂ２は、変更前サムネイル列の右端部に隣接する領域に設定されているので、第１スクロール領域Ｂ１と、第２スクロール領域Ｂ２とが変更前サムネイル列に対応する指示領域であることが、ユーザーにとって認識し易い。同様に、第１スクロール領域Ｃ１は、変更後サムネイル列の左端部に隣接する領域に設定され、第２スクロール領域Ｃ２は、変更後サムネイル列の右端部に隣接する領域に設定されているので、第１スクロール領域Ｃ１と、第２スクロール領域Ｃ２とが変更後サムネイル列に対応する指示領域であることが、ユーザーにとって認識し易い。
【００８８】
図７は、第２実施形態のサムネイル切替え処理を示すフローチャートである。この処理では、まず、初期状態のサムネイル表示画面をＬＣＤ４１に表示する（Ｓ７０１）。このＳ７０１の処理によって、例えば、図８（ａ１）に示す初期状態のサムネイル表示画面を表示する。尚、このＳ７０１の処理は、図４のＳ４０１の処理と同様なので、その詳細な説明は省略するが、図８（ａ１）に示すように、サムネイル表示画面において、第１スクロール領域Ｂ１、第２スクロール領域Ｂ２、第１スクロール領域Ｃ１、第２スクロール領域Ｃ２には、何のアイコンも表示されない、空白のままである。
【００８９】
Ｓ７０１の処理において、初期状態のサムネイル表示画面を表示すると、次に、いずれかのスクロール領域（第１スクロール領域Ｂ１、第２スクロール領域Ｂ２、第１スクロール領域Ｃ１、第２スクロール領域Ｃ２）がタッチされたかを判断する（Ｓ７０２）。そして、いずれのスクロール領域もタッチされないと判断した場合には（Ｓ７０２：Ｎｏ）、本処理を終了し、いずれかのスクロール領域がタッチされたと判断した場合には（Ｓ７０２：Ｙｅｓ）、タッチされたスクロール領域に応じて、サムネイル列リストの画面内フラグ５７を更新する（Ｓ７０３）。具体的には、「１」に設定されている連続する５つの画面内フラグ５７を、上位または下位に１ページ分スライドするように更新する。そして、その設定した画面内フラグ５７に従って、タッチされなかった方のサムネイル列の表示は維持したまま、タッチされた方のサムネイル列のサムネイルの表示を切替える（Ｓ７０４）。
【００９０】
そして、タッチされたスクロール領域からタッチが離されたかを検出する（Ｓ７０５）。その結果、タッチされたスクロール領域からタッチが離されたことを検出されなかった場合には（Ｓ７０５：Ｎｏ）、Ｓ７０３からの処理を繰り返す。これにより、次々と、一方のサムネイル列のサムネイルの表示が切替わるのである。一方、タッチされたスクロール領域からタッチが離されたことを検出した場合には（Ｓ７０５：Ｙｅｓ）、本処理を終了する。
【００９１】
この処理を、図８を参照して、具体的に説明する。図８（ａ２）は、図８（ａ１）の初期状態のサムネイル表示画面において、第２スクロール領域Ｂ２がタッチされている状態のサムネイル表示画面を示す図であり、図８（ａ３）は、変更前サムネイル列がスクロールした後のサムネイル表示画面を示す図である。図８（ｂ２）は、図８（ｂ１）に示す初期状態から該当する画面内フラグが更新された後の変更前サムネイル列リストを示す図である。
【００９２】
図８（ａ１）に示す初期状態のサムネイル表示画面が表示されている場合に、図８（ａ２）に示すように、第２スクロール領域Ｂ２（図中矢印の先端部参照）がユーザーによってタッチされたとする。
【００９３】
この場合、タッチされたＬＣＤ４１上の座標を検出する。そして、その検出した座標から座標テーブルを利用して、いずれのスクロール領域（第１スクロール領域Ｂ１、第２スクロール領域Ｂ２、第１スクロール領域Ｃ１、第２スクロール領域Ｃ２）がタッチされたかを検出する。これにより、第２スクロール領域Ｂ２がタッチされたことを検出する。
【００９４】
そして、図８（ｂ１）に示す初期状態の変更前サムネイル列リストを、図８（ｂ２）に示すように更新する。具体的には、ページ番号５５が「１」である画面内フラグ５７を「１」から「０」に設定し、ページ番号５５が「６」である画面内フラグ５７を「０」から「１」に設定する。
【００９５】
そして、更新した図８（ｂ２）に示す変更前サムネイル列リストに従って、サムネイル表示画面を、図８（ａ１）に示す状態から図８（ａ３）に示す状態に更新する。即ち、図８（ａ１）に示す変更前サムネイル列に表示されているサムネイルを１ページ分左方にスクロールして、図８（ａ３）に示す通り、変更前サムネイル列の左から順番に、ページ番号５５が「２」〜「６」に対応する５枚のサムネイル（ローマ数字：ＩＩ〜ＶＩ）をページ番号５５が早い方から順番に表示する。
【００９６】
このように、この第２実施形態のサムネイル切替え処理によれば、第１実施形態と同様に、ユーザーの指示に従って変更前サムネイル列または変更後サムネイル列のうち、一方のサムネイル列の表示は維持したまま、他方のサムネイル列のサムネイルの表示を切替えることができる。
【００９７】
尚、上述した第２実施形態では、変更前サムネイル列の表示を切替える場合について説明したが、第１スクロール領域Ｃ１、第２スクロール領域Ｃ２がタッチされた場合には、変更前サムネイル列の表示は維持したまま、変更後サムネイル列の表示を切替えることができるのは言うまでもない。
【００９８】
また、本実施形態では、いずれかのスクロール領域がタッチされ続けていた場合に、スクロールする場合について説明したが、いずれかのスクロール領域が、連続してタッチされた場合に、タッチされる度に、１ページ毎スクロールするように構成しても良い。
【００９９】
次に、図９を参照して、上述した第２実施形態についての変形例について説明する。図９は、図８（ａ１）に対応する図であり、初期状態のサムネイル表示画面を示す図である。上述した第２実施形態では、図８（ａ１）に示すように、第１スクロール領域Ｂ１、第２スクロール領域Ｂ２、第１スクロール領域Ｃ１、第２スクロール領域Ｃ２には何らアイコンを表示しない場合について説明した。
【０１００】
これに代えて、図９に示すように、この第１スクロール領域Ｂ１、第２スクロール領域Ｂ２、第１スクロール領域Ｃ１、第２スクロール領域Ｃ２の各スクロール領域に相当する位置に、各アイコンＡ１〜Ａ４を表示しても良い。この場合には各スクロール領域に相当する位置をユーザーに認識させ易くすることができる。
【０１０１】
次に、図１０及び図１１を参照して、第３実施形態について説明する。この第３実施形態は、変更前サムネイル列および変更後サムネイル列に共通するスクロール領域を設定し、いずれかのサムネイル列に含まれるサムネイルがタッチされ、その後で共通のスクロール領域がタッチされた場合に、タッチされたサムネイルを含むサムネイル列を、スクロール領域が示す指示に従って切替えるものである。
【０１０２】
図１０は、第３実施形態のサムネイル切替え処理を示すフローチャートである。この処理では、まず、初期状態のサムネイル表示画面をＬＣＤ４１に表示する（Ｓ１００１）。このＳ１００１の処理によって、図１１（ａ１）に示す初期状態のサムネイル表示画面を表示する。この第４実施形態における初期状態のサムネイル表示画面では、図１１（ａ１）に示すように、第１サムネイル列と第２サムネイル列とを、その長手方向に挟む一方の位置に、第１スクロールアイコンＡ１を表示し、他方の位置に第２スクロールアイコンＡ２を表示する。尚、この第１アイコンＡ１と、第２アイコンＡ２とを表示するＬＣＤ４１上の座標は、上述したのと同様に、座標テーブルに記憶されている。
【０１０３】
そして、第１アイコンＡ１を表示する表示領域は、変更前サムネイル列のサムネイルまたは変更後サムネイル列のサムネイルを、図中右方にスクロールする指示を受け付ける領域として割り当てられており、第２アイコンＡ２を表示する表示領域は、変更前サムネイル列のサムネイルまたは変更後サムネイル列のサムネイルを、図中左方にスクロールする指示を受け付ける領域として割り当てられている。
【０１０４】
Ｓ１００１の処理において、初期状態のサムネイル表示画面を表示すると、次に、いずれかのサムネイルがタッチされたかを判断する（Ｓ１００２）。そして、いずれかのサムネイルもタッチされないと判断した場合には（Ｓ１００２：Ｎｏ）、本処理を終了し、いずれかのサムネイルがタッチされたと判断した場合には（Ｓ１００２：Ｙｅｓ）、そのタッチされたサムネイルを含むサムネイル列を特定する（Ｓ１００３）。即ち、タッチされたサムネイルが変更前サムネイル列に含まれるか、変更後サムネイル列に含まれるのかを特定する。
【０１０５】
次に、いずれかのスクロールアイコン（第１スクロールアイコンＡ１、第２スクロールアイコンＡ２）がタッチされたかを判断する（Ｓ１００４）。そして、いずれのスクロールアイコンもタッチされないと判断した場合には（Ｓ１００４：Ｎｏ）、本処理を終了し、いずれかのスクロールアイコンがタッチされたと判断した場合には（Ｓ１００４：Ｙｅｓ）、Ｓ１００３で特定したサムネイル列に対応するサムネイル列リストの画面内フラグ５７を、Ｓ１００４でタッチされたスクロールアイコンが示す指示に従って更新する（Ｓ１００５）。具体的には、「１」に設定されている連続する５つの画面内フラグ５７を、上位または下位に１ページ分スライドするように更新する。
【０１０６】
そして、その更新した画面内フラグ５７に従って、タッチされなかったサムネイル列の状態は維持したまま、該当するサムネイル列のサムネイルを１ページ分スクロールする（Ｓ１００６）。そして、タッチされたスクロールアイコンからタッチが離されたかを検出する（Ｓ１００７）。その結果、スクロールアイコンからタッチが離されたことを検出されなかった場合には（Ｓ１００７：Ｎｏ）、Ｓ１００５からの処理を繰り返す。これにより、次々と、一方のサムネイル列のサムネイルの表示が切替わるのである。一方、タッチされたスクロール領域からタッチが離されたことを検出した場合には（Ｓ１００７：Ｙｅｓ）、本処理を終了する。
【０１０７】
この処理を、図１１を参照して、具体的に説明する。図１１（ａ２）は、図１１（ａ１）に示す初期状態のサムネイル表示画面において、変更前サムネイル列の左から４番目のサムネイルがタッチされている状態のサムネイル表示画面を示す図であり、図１１（ａ３）は、変更前サムネイル列のサムネイルがタッチされた後、第２スクロールアイコンＡ２がタッチされている状態のサムネイル表示画面を示す図である。図１１（ｂ２）は、図１１（ｂ１）に示す初期状態から該当する画面内フラグが更新された後の変更前サムネイル列リストを示す図である。
【０１０８】
図１１（ａ１）に示す初期状態のサムネイル表示画面がＬＣＤ４１に表示されている状態において、図１１（ａ２）に示すように、変更前サムネイル列の左から４番目のサムネイル（図中矢印の先端部参照）がタッチされたとする。この場合、このタッチされたＬＣＤ４１上の座標を検出し、その検出した座標から座標テーブルを利用して、タッチされたサムネイルを含むサムネイル列を特定する。即ち、タッチされたサムネイルを含むのは変更前サムネイル列であることを特定する。
【０１０９】
その後で、図１１（ａ３）に示すように、第２スクロールアイコンＡ２がタッチされたとする。この場合、タッチされたＬＣＤ４１上の座標を検出し、その検出した座標から座標テーブルを利用して、いずれのスクロールアイコン（第１スクロールアイコンＡ１または第２スクロールアイコンＡ２）がタッチされたかを検出する。即ち、第２スクロールアイコンＡ２がタッチされたことを検出する。
【０１１０】
そして、図１１（ｂ１）に示す変更前サムネイル列リストを、図１１（ｂ２）に示すように更新する。具体的には、ページ番号５５が「１」である画面内フラグ５７を「１」から「０」に設定し、ページ番号５５が「６」である画面内フラグ５７を「０」から「１」に設定する。
【０１１１】
こうして、更新した図１１（ｂ２）に示す変更前サムネイル列リストに従って、サムネイル表示画面を、図１１（ａ１）に示す状態から図１１（ａ３）に示す状態に更新する。即ち、図１１（ａ１）に示す変更前サムネイル列に表示されているサムネイルを１ページ分左方にスクロールして、図１１（ａ３）に示すように、変更前サムネイル列の左から順番に、ページ番号５５が「２」〜「６」に対応する５枚のサムネイル（ローマ数字：ＩＩ〜ＶＩ）をページ番号５５が早い方から順番に表示する。
【０１１２】
このように、この第３実施形態によれば、最初にタッチされたサムネイルが含まれるサムネイル列を、表示を切替えるサムネイル列として特定するので、ユーザーにとって、表示を切替えるサムネイル列を特定し易く、また、各サムネイル列毎にスクロールの指示を示す領域を用意する必要がないので、ＬＣＤ４１の表示スペースを有効に利用することができる。
【０１１３】
尚、上述した第３実施形態では、変更前サムネイル列の表示を切替える場合について説明したが、変更後サムネイル列に含まれるいずれかのサムネイルがタッチされ、その後で第１スクロールアイコンＡ１または第２スクロールアイコンＡ２がタッチされた場合には、変更前サムネイル列の表示は維持したまま、上述したのと同様に、変更後サムネイル列の表示を切替えることができるのは言うまでもない。
【０１１４】
次に、図１２及び図１３を参照して、第４実施形態について説明する。この第４実施形態は、上述した第２実施形態と同様に、第１スクロール領域Ｂ１、第２スクロール領域Ｂ２、第１スクロール領域Ｃ１、第２スクロール領域Ｃ２を設定し、いずれかのサムネイル列に含まれるサムネイルがタッチされ、そのまま所定の軌跡を辿っていずれかのスクロール領域がタッチされた場合に、そのタッチされたスクロール領域が示す指示に従ってサムネイル列を切替えるものである。
【０１１５】
図１２は、第４実施形態のサムネイル切替え処理を示すフローチャートである。この処理では、まず、初期状態のサムネイル表示画面をＬＣＤ４１に表示する（Ｓ１２０１）。このＳ１２０１の処理によって、図１３（ａ１）に示す初期状態のサムネイル表示画面を表示する。尚、第２実施形態で説明したのと同様に、第１スクロール領域Ｂ１、第２スクロール領域Ｂ２、第１スクロール領域Ｃ１、第２スクロール領域Ｃ２の各スクロール領域のＬＣＤ４１上の座標は、座標テーブルに記憶されている。
【０１１６】
Ｓ１２０１の処理で、初期状態のサムネイル表示画面を表示すると、次に、いずれかのサムネイルがタッチされたかを判断する（Ｓ１２０２）。そして、いずれかのサムネイルがタッチされたと判断した場合には（Ｓ１２０２：Ｙｅｓ）、そのタッチされたサムネイルを特定する（Ｓ１２０３）。
【０１１７】
そして、タッチされた位置が移動したかを判断する（Ｓ１２０４）。タッチされた位置が移動していないと判断した場合には（Ｓ１２０４：Ｎｏ）、本処理を終了し、タッチされた位置が移動していると判断した場合には（Ｓ１２０４：Ｙｅｓ）、その移動先に選択したサムネイルと同じサムネイルである仮サムネイルを表示する（Ｓ１２０５）。そして、タッチされた位置が停止したかを判断する（Ｓ１２０６）。タッチされた位置が停止していないと判断した場合には（Ｓ１２０６：Ｎｏ）、Ｓ１２０４からの処理を繰り返し、タッチされた位置が停止したと判断した場合には（Ｓ１２０６：Ｙｅｓ）、その停止した位置の座標を検出し、その検出した座標がいずれのスクロール領域（第１スクロール領域Ｂ１、第２スクロール領域Ｂ２、第１スクロール領域Ｃ１、第２スクロール領域Ｃ２）かを判断する（Ｓ１２０７）。
【０１１８】
その結果、停止した位置がいずれかのスクロール領域でなかった場合には（Ｓ１２０７：Ｎｏ）、本処理を終了し、停止した位置がいずれかのスクロール領域であった場合には（Ｓ１２０７：Ｙｅｓ）、そのタッチされたスクロール領域に応じて、サムネイル列リストの画面内フラグ５７を更新する（Ｓ１２０８）。具体的には、タッチされたスクロール領域に応じて、「１」に設定されている連続する５つの画面内フラグ５７が、上位または下位に１ページ分スライドするように更新する。
【０１１９】
そして、その更新した画面内フラグ５７に従って、タッチされなかったサムネイル列の状態は維持したまま、該当するサムネイル列のサムネイルを１ページ分切替える（Ｓ１２０９）。そして、タッチされたスクロール領域からタッチが離されたかを検出する（Ｓ１２１０）。その結果、スクロール領域からタッチが離されたことを検出されなかった場合には（Ｓ１２１０：Ｎｏ）、Ｓ１２０８からの処理を繰り返す。これにより、次々と、一方のサムネイル列のサムネイルの表示が切替わるのである。一方、タッチされたスクロール領域からタッチが離されたことを検出した場合には（Ｓ１２１０：Ｙｅｓ）、本処理を終了する。
【０１２０】
この処理を、図１３を参照して、具体的に説明する。図１３（ａ２）は、図１３（ａ１）に示す初期状態のサムネイル表示画面において、変更前サムネイル列の左から４番目に表示されているサムネイルがタッチされ、その後、タッチされている位置が移動している状態のサムネイル表示画面を示す図であり、図１３（ａ３）は、変更前サムネイル列がスクロールした後の状態のサムネイル表示画面を示す図である。図１３（ｂ２）は、図１３（ｂ１）に示す初期状態から更新された後の変更前サムネイル列リストを示す図である。
【０１２１】
図１３（ａ１）に示す初期状態のサムネイル表示画面が表示されている状態で、図１３（ａ２）に示すように、変更前サムネイル列の左から４番目のサムネイル（図中矢印の先端部参照）がユーザーによってタッチされ、その後タッチされた位置が移動して、第２スクロール領域Ｂ２の位置でタッチされた位置が停止したとする。
【０１２２】
この場合、タッチされたサムネイルのＬＣＤ４１上の座標を検出し、その検出した座標から座標テーブルを利用して、タッチされたサムネイルを特定する。即ち、タッチされたサムネイルはページ番号５５が「４」のサムネイルであることを特定する。
【０１２３】
その後、タッチされている位置が移動すれば、その移動した位置の座標を検出し、その検出した座標にタッチされたサムネイルと同じサムネイルを、図１３（ａ２）に示すように表示する。
【０１２４】
そして、タッチされている位置が停止すれば、その停止した位置の座標を検出し、その検出した座標から座標テーブルを利用して、いずれのスクロール領域（第１スクロール領域Ｂ１、第２スクロール領域Ｂ２、第１スクロール領域Ｃ１、第２スクロール領域Ｃ２）でタッチされている位置が停止したかを特定する。即ち、タッチされている位置が第２スクロール領域Ｂ２の位置で停止したことを検出する。
【０１２５】
そして、図１３（ｂ１）に示す変更前サムネイル列リストを、図１３（ｂ２）に示すように更新する。具体的には、ページ番号５５が「１」である画面内フラグ５７を「１」から「０」に設定し、ページ番号５５が「６」である画面内フラグ５７を「０」から「１」に設定する。
【０１２６】
そして、更新した図１３（ｂ２）に示す変更前サムネイル列リストに従って、サムネイル表示画面を、図１３（ａ１）に示す状態から図１３（ａ３）に示す状態に更新する。即ち、図１３（ａ１）に示す変更前サムネイル列に表示されているサムネイルを１ページ分左方にスクロールして、図１３（ａ３）に示すように、変更前サムネイル列の左から順番に、ページ番号５５が「２」〜「６」に対応する５枚のサムネイル（ローマ数字：ＩＩ〜ＶＩ）をページ番号５５が早い方から順番に表示する。
【０１２７】
このように、この第４実施形態のサムネイル切替え処理によれば、最初にサムネイルがタッチされてから、そのタッチされている位置がＬＣＤ４１から離れるまでは、タッチされたサムネイルと同じサムネイルを、タッチされている位置に応じて表示するので、最初にタッチサムネイルを常に視覚的に確認することができる。
【０１２８】
尚、上述した第４実施形態では、変更前サムネイル列の表示を切替える場合について説明したが、第１スクロール領域Ｃ１、第２スクロール領域Ｃ２がタッチされた場合には、変更前サムネイル列の表示は維持したまま、変更後サムネイル列の表示を切替えることができるのは言うまでもない。
【０１２９】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１３０】
例えば、上述した第１実施形態における第１スクロールバー５０、第２スクロールバー５２を表示する場合に、各区画領域が示す表示順を数字で表示するように構成しても良い。かかる場合には、ユーザーが第１スクロールバー５０、第２スクロールバー５２のどの区画領域をタッチすれば良いかかのあたりを付けやすくすることができる。
【０１３１】
また、本実施形態で示したタッチパネルでは、ＬＣＤ４１上にタッチすることで、タッチしたＬＣＤ４１上の表示領域を特定したが、ＬＣＤ４１上に直接接触（タッチ）することなく、ＬＣＤ４１上への物理的な接近に基づいて、その接近したＬＣＤ４１上の座標を検出する方式のタッチパネルを用いる等、タッチパネルの方式は限定されない。
【図面の簡単な説明】
【０１３２】
【図１】複合機の外観構成を示す斜視図である。
【図２】複合機の制御部の概略構成を示すブロック図である。
【図３】（ａ）は第１実施形態のサムネイル表示画面を説明するための図であり、（ｂ）は第１実施形態の座標テーブルを示す図である。
【図４】第１実施形態のサムネイル切替え処理を示すフローチャートである。
【図５】（ａ１）〜（ａ３）は第１実施形態のサムネイル表示画面を示す図であり、（ｂ１）および（ｂ２）は第１実施形態のサムネイル列リストを示す図である。
【図６】（ａ）は第２実施形態のサムネイル表示画面を説明するための図であり、（ｂ）は第２実施形態の座標テーブルを示す図である。
【図７】第２実施形態のサムネイル切替え処理を示すフローチャートである。
【図８】（ａ１）〜（ａ３）は第２実施形態のサムネイル表示画面を示す図であり、（ｂ１）および（ｂ２）は第２実施形態のサムネイル列リストを示す図である。
【図９】第２実施形態の変形例に関するサムネイル表示画面を示す図である。
【図１０】第３実施形態のサムネイル切替え処理を示すフローチャートである。
【図１１】（ａ１）〜（ａ３）は第３実施形態のサムネイル表示画面を示す図であり、（ｂ１）および（ｂ２）は第３実施形態のサムネイル列リストを示す図である。
【図１２】第４実施形態のサムネイル切替え処理を示すフローチャートである。
【図１３】（ａ１）〜（ａ３）は第４実施形態のサムネイル表示画面を示す図であり、（ｂ１）および（ｂ２）は第４実施形態のサムネイル列リストを示す図である。
【符号の説明】
【０１３３】
１        複合機（画像表示装置）
２３ａ    表示領域メモリ（指示領域記憶手段の一部、スクロール領域記憶手段の一部）
２４ａ    変更前サムネイル列リストメモリ（管理手段の一部）
２４ｂ    変更後サムネイル列リストメモリ（管理手段の一部）
Ｓ４０４、Ｓ７０４、Ｓ１００６、Ｓ１２０９  第１表示制御手段の一部
Ｓ４０１、Ｓ１００１  第２表示制御手段の一部
【図１】
2008299090.tif 000003
【図２】
2008299090.tif 000004
【図３】
2008299090.tif 000005
【図４】
2008299090.tif 000006
【図５】
2008299090.tif 000007
【図６】
2008299090.tif 000008
【図７】
2008299090.tif 000009
【図８】
2008299090.tif 000010
【図９】
2008299090.tif 000011
【図１０】
2008299090.tif 000012
【図１１】
2008299090.tif 000013
【図１２】
2008299090.tif 000014
【図１３】
2008299090.tif 000015